(57)【特許請求の範囲】
【請求項１】
透液性表面シートと裏面シートとの間に吸収体が介在され、前記裏面シートの非肌当接面側にズレ止め粘着剤層が形成された吸収性物品において、
前記吸収体の非肌当接面側に、排血口部より後方の幅方向中央部の交点から斜め前方の両側に向けて形成された左右一対の前方溝と、前記交点から前記吸収性物品の長手方向に沿う後方に向けて形成された後方溝とから成るＹ字状の会陰部用エンボス溝が形成され、
前記後方溝を含む中央領域には前記ズレ止め粘着剤層が形成されず、その両側に前記吸収性物品の長手方向に沿ってズレ止め粘着剤層が形成されていることを特徴とする吸収性物品。
【請求項２】
前記会陰部用エンボス溝の形成位置より前部側であって排血口部を含む股間部に、前記吸収体の非肌当接面側であって前記吸収性物品の幅方向中央部に長手方向に沿って股間部用エンボス溝が形成されるとともに、前記会陰部用エンボス溝の形成位置より後部側に、前記吸収体の非肌当接面側であって前記吸収性物品の幅方向中央部に長手方向に沿って断続的な臀部用エンボス溝が形成され、
前記股間部用エンボス溝及び臀部用エンボス溝を含む中央領域には前記ズレ止め粘着剤層が形成されていない請求項１記載の吸収性物品。
【請求項３】
前記会陰部用エンボス溝の前方溝の先端部は、前記ズレ止め粘着剤層と重なる領域に形成されている請求項１，２いずれかに記載の吸収性物品。
【請求項４】
少なくとも前記会陰部用エンボス溝、前記股間部用エンボス溝及び臀部用エンボス溝の両側に、前記吸収性物品の肌当接面側から前記吸収性物品の略長手方向に沿って左右一対のフィットエンボスが形成されるとともに、前記フィットエンボスは、前記ズレ止め粘着剤層と重なる領域に形成されている請求項２記載の吸収性物品。
【請求項５】
前記中央領域の前側及び後側であって、前記会陰部用エンボス溝、前記股間部用エンボス溝及び臀部用エンボス溝が形成されない領域にズレ止め粘着剤層が形成されている請求項２記載の吸収性物品。
【発明の詳細な説明】
【技術分野】
【０００１】
本発明は、経血やおりものなどを吸収するための生理用ナプキン、パンティライナー、失禁パッド等の吸収性物品に係り、装着時に肌との密着度を向上した吸収性物品に関する。
【背景技術】
【０００２】
従来より、パンティライナー、生理用ナプキン、おりものシート、失禁パッド、トイレタリーなどの吸収性物品として、ポリエチレンシートまたはポリエチレンシートラミネート不織布などの不透液性裏面シートと、不織布または透液性プラスチックシートなどの透液性表面シートとの間に綿状パルプ等からなる吸収体を介在したものが知られている。
【０００３】
この種の吸収性物品にも幾多の改良が重ねられ、体液漏れを防止するための手段が種々講じられている。特に、夜用ナプキンなどにおいては、漏れの原因の一つとして臀部の谷間や排血口部とナプキン表面との間に隙間が生じることによる伝い漏れがある。このため、ナプキン中央部を長手方向に沿って肌面側に隆起させ、肌に密着させるようにしたものが開発されている。
【０００４】
例えば、下記特許文献１には、吸収性物品の少なくとも後方中央部分に、前記吸収性物品の長手方向に延びるとともに、肌当接面側に隆起する吸収体中高部を有し、かつ前記吸収体中高部に対応する吸収体の非肌当接面側に前記吸収性物品の長手方向に沿って断続的な凹状溝が形成された吸収性物品が開示されている。かかる吸収性物品では、装着状態で、断続的に形成された凹状溝間の部分（無加工部分）を通る多数の横断方向軸が可撓軸となって角折れするように変形し、臀部の丸みに沿うように身体にフィットするとなるとともに、前記凹状溝の形成列を軸とする可撓軸（長手方向可撓軸）により吸収体中高部をさらに隆起させるように変形するため、臀部中央の窪み部分に吸収体中高部を密着させることができるというものである。
【０００５】
また、下記特許文献２には、一対のウイング部が吸収性本体を横断させて該吸収性本体に伸張状態で固定した弾性伸縮性シートの両端部分より形成されており、前記弾性伸縮性シートの前記吸収性本体に対する固定部が、少なくとも前記吸収性本体の長手方向の両側における前記吸収体の両側縁よりも幅方向内方の位置にそれぞれ形成され、前記吸収性本体は、二つの前記固定部間において、前記弾性伸縮性シートの収縮により幅方向に収縮している吸収性物品が開示されている。かかる吸収性物品は、吸収性本体が弾性伸縮性シートにより連動して積極的に収縮し、予め予定されていた収縮形状となるため、吸収性本体が不規則に収縮することによるナプキンのヨレが防止できるというものである。
【先行技術文献】
【特許文献】
【０００６】
【特許文献１】特開２００６−２６３２０５号公報
【特許文献２】特開２００２−３６９８３７号公報
【発明の概要】
【発明が解決しようとする課題】
【０００７】
しかしながら、上記特許文献１記載の吸収性物品では、不透液性裏面シートの非使用面側（外面）に装着時に下着に接着固定するための粘着剤層を形成した場合、ズレ止め粘着剤層を設ける位置によっては吸収体の隆起するような変形が抑制されるおそれがある。例えば、吸収性物品の幅方向中央部に長手方向に沿ってズレ止め粘着剤層が設けられる場合、脚圧や就寝時の寝相などによる下着のヨレの影響を受けやすく、吸収体の隆起部分にもヨレが生じ肌との密着度が低下する。また、吸収性物品が下着に接着固定されることにより、吸収体の隆起するような変形が起こり難くなり、肌との密着度の低下の原因となっていた。
【０００８】
一方、上記特許文献２記載の吸収性物品のように、弾性伸縮性シートの収縮によって固定部間の吸収性本体を表面側に隆起させるようにした場合、弾性伸縮性シートの外面側に配設される裏面シートも収縮するため、この裏面シートに設けられる粘着剤層と下着との接着が剥離してズレ止めの効果が低下し、吸収性物品がズレることによって肌との密着度が低下するおそれがある。
【０００９】
そこで本発明の主たる課題は、吸収体の中央領域の隆起するような変形を促進することにより肌との密着度を高めるとともに、ショーツのヨレなどによる密着度の低下を防止した吸収性物品を提供することにある。
【課題を解決するための手段】
【００１０】
上記課題を解決するために請求項１に係る本発明として、透液性表面シートと裏面シートとの間に吸収体が介在され、前記裏面シートの非肌当接面側にズレ止め粘着剤層が形成された吸収性物品において、
前記吸収体の非肌当接面側に、排血口部より後方の幅方向中央部の交点から斜め前方の両側に向けて形成された左右一対の前方溝と、前記交点から前記吸収性物品の長手方向に沿う後方に向けて形成された後方溝とから成るＹ字状の会陰部用エンボス溝が形成され、
前記後方溝を含む中央領域には前記ズレ止め粘着剤層が形成されず、その両側に前記吸収性物品の長手方向に沿ってズレ止め粘着剤層が形成されていることを特徴とする吸収性物品が提供される。
【００１１】
上記請求項１記載の発明では、吸収体の非肌当接面側であって吸収性物品の幅方向中央部に長手方向に沿ってエンボス溝を形成してあるため、このエンボス溝が他の部分よりも薄肉化され、剛性（断面二次モーメント）が低下することにより、両側からの脚の圧力が作用したときに、このエンボス溝を可撓軸として吸収体の隆起するような変形が促進されるため肌との密着度を高めることができるようになる。
【００１２】
具体的には、吸収体の非肌当接面側に、排血口部より後方の幅方向中央部の交点から斜め前方の両側に向けて形成された左右一対の前方溝と、前記交点から吸収性物品の長手方向に沿う後方に向けて形成された後方溝とから成るＹ字状の前記会陰部用エンボス溝を形成してあるため、吸収体に両側からの脚圧が作用したときに、該会陰部用エンボス溝を可撓軸として前記交点を頂点とする三角錐状の隆起部を形成する。
【００１３】
また、前記後方溝を含む中央領域には前記ズレ止め粘着剤層が形成されず、その両側に吸収性物品の長手方向に沿ってズレ止め粘着剤層を形成してあるため、吸収体の中央領域の隆起するような変形がズレ止め粘着剤層によって阻害されるような事態が防止できるとともに、両側からの脚圧や就寝時の寝相などによってショーツにヨレが生じた場合でも、隆起する中央領域はヨレの影響を受けず、肌との密着状態が維持できる。さらに、前記中央領域の両側にズレ止め粘着剤層を形成してあるため、この部分が吸収体の隆起部の基点となって、吸収体の中央領域の隆起するような変形が促進されるようになるとともに、下着への接着固定が図れるようになる。
【００１４】
請求項２に係る本発明として、前記会陰部用エンボス溝の形成位置より前部側であって排血口部を含む股間部に、前記吸収体の非肌当接面側であって前記吸収性物品の幅方向中央部に長手方向に沿って股間部用エンボス溝が形成されるとともに、前記会陰部用エンボス溝の形成位置より後部側に、前記吸収体の非肌当接面側であって前記吸収性物品の幅方向中央部に長手方向に沿って断続的な臀部用エンボス溝が形成され、
前記股間部用エンボス溝及び臀部用エンボス溝を含む中央領域には前記ズレ止め粘着剤層が形成されていない請求項１記載の吸収性物品が提供される。
【００１５】
上記請求項２記載の発明は、更に、前記会陰部用エンボス溝の形成位置より前部側であって排血口を含む股間部に、前記吸収体の非肌当接面側であって吸収性物品の幅方向中央部に長手方向に沿って形成される股間部用エンボス溝と、前記会陰部用エンボス溝の形成位置より後部側に、前記吸収体の非肌当接面側であって吸収性物品の幅方向中央部に長手方向に沿って断続的に形成される臀部用エンボス溝とを形成したものである。また、前記股間部用エンボス溝及び臀部用エンボス溝を含む中央領域には、前記ズレ止め粘着剤層が形成されていない。
【００１６】
請求項３に係る本発明として、前記会陰部用エンボス溝の前方溝の先端部は、前記ズレ止め粘着剤層と重なる領域に形成されている請求項１，２いずれかに記載の吸収性物品が提供される。
【００１７】
上記請求項３記載の発明では、Ｙ字状の会陰部用エンボス溝の前方溝の先端部を、ズレ止め粘着剤層に重なる領域に形成することにより、Ｙ字状のエンボス溝の先端部が安定して下着側に固定され、会陰部用エンボス溝に沿って吸収体が三角錐状に隆起するような変形が生じやすくなる。
【００１８】
請求項４に係る本発明として、少なくとも前記会陰部用エンボス溝、前記股間部用エンボス溝及び臀部用エンボス溝の両側に、前記吸収性物品の肌当接面側から前記吸収性物品の略長手方向に沿って左右一対のフィットエンボスが形成されるとともに、前記フィットエンボスは、前記ズレ止め粘着剤層と重なる領域に形成されている請求項２記載の吸収性物品が提供される。
【００１９】
上記請求項４記載の発明は、吸収性物品の肌当接面側に形成されるフィットエンボスと裏面シートの非肌当接面側に形成されるズレ止め粘着剤層との相対的位置関係について規定したものであり、前記フィットエンボスとしては、少なくとも会陰部用エンボス溝、前記股間部用エンボス溝及び臀部用エンボス溝の両側に吸収性物品の肌当接面側から吸収性物品の略長手方向に沿って左右一対で形成し、前記フィットエンボスをズレ止め粘着剤層と重なる領域に形成するようにしたものである。これにより、ズレ止め粘着剤層によって下着に接着固定された部分に形成されるフィットエンボスを基点として、吸収体の中央領域が肌当接面側に隆起するような変形が生じやすくなる。
【００２０】
請求項５に係る本発明として、前記中央領域の前側及び後側であって、前記会陰部用エンボス溝、前記股間部用エンボス溝及び臀部用エンボス溝が形成されない領域にズレ止め粘着剤層が形成されている請求項２記載の吸収性物品が提供される。
【００２１】
上記請求項５記載の発明では、ズレ止め粘着剤層を形成しない中央領域の前側及び後側であって、前記会陰部用エンボス溝、前記股間部用エンボス溝及び臀部用エンボス溝が形成されない領域にズレ止め粘着剤層を形成することにより、吸収性物品の前後のめくれを防止できるとともに、前後方向からの下着のヨレが中央領域まで進展するのを防止することができる。
【発明の効果】
【００２２】
以上詳説のとおり本発明によれば、吸収体の中央領域の隆起するような変形を促進することにより肌との密着度を高めるとともに、ショーツのヨレなどによる密着度の低下を防止した吸収性物品が提供できるようになる。
【図面の簡単な説明】
【００２３】
【図１】本発明に係る生理用ナプキン１の展開図である。
【図２】その裏面図である。
【図３】図１のIII−III線矢視図である。
【図４】図１のIV−IV線矢視図である。
【図５】装着状態の生理用ナプキン１を示す拡大断面図である。
【図６】股間部構造を示す人体の下面図である。
【図７】吸収体欠損部２２の平面図である。
【図８】他の形態に係る吸収体欠損部２２の平面図及び断面図である。
【図９】他の形態に係る生理用ナプキン１の裏面図である。
【図１０】他の形態に係る生理用ナプキン１の裏面図である。
【発明を実施するための形態】
【００２４】
以下、本発明の実施の形態について図面を参照しながら詳述する。
【００２５】
〔生理用ナプキン１の基本構造〕
本発明に係る生理用ナプキン１は、図１〜図４に示されるように、ポリエチレンシートなどからなる不透液性裏面シート２と、経血やおりものなどを速やかに透過させる透液性表面シート３と、これら両シート２，３間に介装された綿状パルプまたは合成パルプなどからなる吸収体４、６と、この吸収体４の形状保持および拡散性向上のために前記吸収体４を囲繞する被包シート５と、前記吸収体４の略側縁部を起立基端とし、かつ少なくとも体液排出部を含むように前後方向に所定の区間内において表面側に突出して設けられた左右一対の立体ギャザーＢＳ、ＢＳとから主に構成され、かつ前記吸収体４の周囲においては、その上下端縁部では前記不透液性裏面シート２と透液性表面シート３との外縁部がホットメルトなどの接着剤やヒートシール等の接合手段によって接合され、またその両側縁部では吸収体４よりも側方に延出している前記不透液性裏面シート２と、前記立体ギャザーＢＳを形成しているサイド不織布７とがホットメルトなどの接着剤やヒートシール等の接合手段によって接合され、これら不透液性裏面シート２とサイド不織布７とによる積層シート部分によって側方に突出するウイング状フラップＷ、Ｗが形成されているとともに、これよりも臀部側に位置する部分に第２ウイング状フラップＷＢ、ＷＢが形成されている。
【００２６】
以下、さらに前記生理用ナプキン１の構造について詳述すると、
前記不透液性裏面シート２は、ポリエチレン等の少なくとも遮水性を有するシート材が用いられるが、近年はムレ防止の観点から透湿性を有するものが用いられる傾向にある。この遮水・透湿性シート材としては、ポリエチレンやポリプロピレン等のオレフィン系樹脂中に無機充填剤を溶融混練してシートを成形した後、一軸または二軸方向に延伸することにより得られる微多孔性シートが好適に用いられる。前記不透液性裏面シート２の非使用面側（外面）には１または複数条の粘着剤層（図示せず）が形成され、身体への装着時に生理用ナプキン１を下着に固定するようになっている。前記不透液性裏面シート２としては、プラスチックフィルムと不織布とを積層させたポリラミ不織布を用いてもよい。
【００２７】
次いで、前記透液性表面シート３は、有孔または無孔の不織布や多孔性プラスチックシートなどが好適に用いられる。不織布を構成する素材繊維としては、ポリエチレンまたはポリプロピレン等のオレフィン系、ポリエステル系、ポリアミド系等の合成繊維の他、レーヨンやキュプラ等の再生繊維、綿等の天然繊維とすることができ、スパンレース法、スパンボンド法、サーマルボンド法、メルトブローン法、ニードルパンチ法等の適宜の加工法によって得られた不織布を用いることができる。これらの加工法の内、スパンレース法は柔軟性、ドレープ性に富む点で優れ、サーマルボンド法は嵩高でソフトである点で優れている。前記透液性表面シート３に多数の透孔を形成した場合には、経血やおりもの等（以下、まとめて体液という。）が速やかに吸収されるようになり、ドライタッチ性に優れたものとなる。
【００２８】
前記吸収体４としては、体液を吸収・保持し得るものであれば良く、通常はフラッフ状パルプ中に吸水性ポリマー粉末を混入したものが吸収機能および価格の点から好適に使用される。前記吸収体４は形状保持等のために被包シート５によって囲繞するのが望ましい。前記被包シート５としては、クレープ紙、親水性の不織布などを用いることができる。
【００２９】
前記吸収体４及び／又は後述の吸収体中高部６には、合成繊維を混合しても良い。前記合成繊維は、例えばポリエチレン又はポリプロピレン等のポリオレフィン系、ポリエチレンテレフタレートやポリブチレンテレフタレート等のポリエステル系、ナイロンなどのポリアミド系、及びこれらの共重合体などを使用することができるし、これら２種を混合したものであってもよい。また、融点の高い繊維を芯とし融点の低い繊維を鞘とした芯鞘型繊維やサイドバイサイド型繊維、分割型繊維などの複合繊維も用いることができる。前記合成繊維は、体液に対する親和性を有するように、疎水性繊維の場合には親水化剤によって表面処理したものを用いるのが望ましい。
【００３０】
前記吸収体４の使用面側には、幅方向中央部にナプキン長手方向に細長く、長手方向に延び肌当接面側に隆起する吸収体中高部６を形成することができる。この吸収体中高部６は、図１に示されるように、幅方向中央部に、装着者の排血口部Ｈを含むとともに後述の会陰部用エンボス溝２３に対応する部分を含む股間部６Ａと、この股間部６Ａの後端から連続する後方部６Ｂとに亘って細長く形成されている。前記吸収体中高部６のうち、股間部６Ａは、吸収量や排血口への密着を維持するために所定の高さで設けることが望ましいが、後方部６Ｂは、後述のエンボスによる変形の妨げとならないよう、前記股間部６Ａより薄くする又は無くすことが好ましい。前記吸収体中高部６の厚みは、股間部６Ａが３〜２０mm、好ましくは５〜１５mmであり、後方部６Ｂが０〜１０mm、好ましくは０〜３mmである。また、前記後方部６Ｂの吸収体中高部６を薄くした又は無くしたことにより装着者に不安を感じさせないよう、図４に示されるように、この後方部６Ｂの肌当接面側に嵩高のセカンドシート６ａを配設することができる。このセカンドシート６ａは、吸収体４、６の変形に影響を与えない程度にクッション性の高い素材を用いることが好ましい。また、前記吸収体中高部６は、前方部６Ａより後方部６Ｂが幅狭に形成され、前方部６Ａと後方部６Ｂとの境界では、後方に向けて幅及び／又は厚みが漸次縮小するように形成されている。この幅及び／又は厚みが漸次縮小する境界範囲は、前側の開始位置が後段で詳述する会陰部用エンボス溝２３の交点Ｃに対応する部分より若干後側とし、後側の終了位置が後段で詳述する会陰部用エンボス溝２３の後方溝２５の後端に対応する部分より若干後側とすることが好ましい。これにより、股間部６Ａと後方部６Ｂとの境界部分のフィット性が向上するようになる。
【００３１】
一方、前記透液性表面シート３の幅寸法は、図示例では、図３および図４の横断面図に示されるように、吸収体４の幅よりも若干長めとされ、吸収体４、６を覆うだけに止まり、前記立体ギャザーＢＳは前記透液性表面シート３とは別のサイド不織布７、具体的には経血やおりもの等が浸透するのを防止する、あるいは肌触り感を高めるなどの目的に応じて、適宜の撥水処理または親水処理を施した不織布素材を用いて構成されている。かかるサイド不織布７としては、天然繊維、合成繊維または再生繊維などを素材として、適宜の加工法によって形成されたものを使用することができるが、好ましくはゴワ付き感を無くすとともに、ムレを防止するために、坪量を抑えて通気性を持たせた不織布を用いるのがよい。具体的には、坪量を１３〜２３g/m２として作製された不織布を用いるのが望ましく、かつ体液の透過を確実に防止するためにシリコン系、パラフィン系、アルキルクロミッククロリド系撥水剤などをコーティングした撥水処理不織布が好適に使用される。
【００３２】
前記サイド不織布７は、図３および図４に示されるように、幅方向中間部より外側部分を吸収体４の内側位置から吸収体側縁を若干越えて不透液性裏面シート２の外縁までの範囲に亘ってホットメルトなどの接着剤によって接着し、これら前記サイド不織布７と不透液性裏面シート２との積層シート部分により、ほぼ体液排出部に相当する吸収体側部位置に左右一対のウイングフラップＷ、Ｗを形成するとともに、これより臀部側位置に第２ウイング状フラップＷＢ、ＷＢを形成している。
【００３３】
図２に示されるように、前記透液性表面シート３と不透液性裏面シート２との間に吸収体４が介在された本体部分の非肌当接面には、下着に対する固定のために適宜の塗布パターンによって本体ズレ止め粘着剤層１０…，１１…が形成されている。また、前記ウイング状フラップＷ、Ｗの不透液性裏面シート２側の面にはウイングズレ止め粘着剤層８、８が形成されるとともに、前記第２ウイング状フラップＷＢ、ＷＢの不透液裏面シート２側の面にはウイングズレ止め粘着剤層９、９が形成されている。前記ウイングズレ止め粘着剤層８、８は、ショーツに対する装着時に、前記ウイング状フラップＷ、Ｗを折返し線ＲＬ位置にて反対側に折り返し、ショーツのクロッチ部分に巻き付けて止着するようになっている。なお、これらズレ止め粘着剤層８〜１１は図示しない剥離材によって覆われている。
【００３４】
前記ズレ止め粘着剤層８〜１１を形成する粘着剤としては、たとえばスチレン系ポリマー、粘着付与剤、可塑剤のいずれかが主成分であるものが好適に使用される。前記スチレン系ポリマーとしては、スチレン−エチレン−ブチレン−スチレンブロック共重合体、スチレン−ブチレン−スチレンブロック共重合体、スチレン−イソブチレン−スチレン共重合体等が挙げられるが、これらのうち１種のみを使用しても、二種以上のポリマーブレンドであってもよい。この中でも熱安定性が良好であるという点で、スチレン−エチレン−ブチレン−スチレンブロック共重合体が好ましい。また、前記粘着付与剤および可塑剤としては、常温で固体のものを好ましく用いることができ、粘着付与剤ではたとえばＣ５系石油樹脂、Ｃ９系石油樹脂、ジシクロペンタジエン系石油樹脂、ロジン系石油樹脂、ポリテルペン樹脂、テルペンフェノール樹脂等が挙げられ、前記可塑剤では例えば、リン酸トリフレシル、フタル酸ジブチル、フタル酸ジオクチル等のモノマー可塑剤の他、ビニル重合体やポリエステルのようなポリマー可塑剤が挙げられる。
【００３５】
一方、前記サイド不織布７の内方側部分はほぼ二重に折り返されるとともに、この二重シート内部に、その高さ方向中間部に両端または長手方向の適宜の位置が固定された糸状弾性伸縮部材が配設され、表面側に起立する立体ギャザーＢＳ、ＢＳが形成されている。具体的には、図３及び図４に示されるように、起立状態で、吸収体４の側縁部又はその近傍から起立する側面起立部７ａと、この側面起立部７ａの先端から連続して形成されるとともに、ナプキン１の表面に対して略水平又は中心側に傾斜して形成される所定幅の肌当接面部７ｂとを有し、前記側面起立部７ａが前記肌当接面部７ｂの外方側端縁より外側に位置するようになっている。前記側面起立部７ａ及び肌当接面部７ｂには、それぞれ、生理用ナプキン１の長手方向に沿って、１又は複数本の、図示例では各３本づつ糸状弾性伸縮部材１２…、１３…が配設されている。
【００３６】
〔エンボス溝及びズレ止め粘着剤層等の構造〕
次に、吸収体４の非肌当接面側に形成されるエンボス溝及び生理用ナプキン１の肌当接面側に形成されるフィットエンボス並びに裏面シート２の非肌当接面側に形成されるズレ止め粘着剤層の構造について、以下に説明する。
【００３７】
本生理用ナプキン１は、図１〜図４に示されるように、吸収体４の非肌当接面側であって生理用ナプキン１の幅方向中央部に長手方向に沿って形成されるエンボス部分を少なくとも一部に有する一又は複数のエンボス溝Ｅが形成され、前記エンボス溝Ｅの内、生理用ナプキン１の幅方向中央部に長手方向に沿って形成されるエンボス部分を含む中央領域Ｍには前記本体ズレ止め粘着剤層が形成されず、その両側に生理用ナプキン１の長手方向に沿って本体ズレ止め粘着剤層１０、１０が形成されている。また、図示例では、中央領域Ｍの前側及び後側であって、前記エンボス溝Ｅが形成されない領域に本体ズレ止め粘着剤層１１、１１が形成されている。
【００３８】
吸収体４の非肌当接面側から前記エンボス溝Ｅを形成することにより、図５に示されるように、このエンボス溝Ｅが他の部分よりも薄肉化され、剛性（断面二次モーメント）が低下するため、両側から脚の圧力が作用したときに、このエンボス溝Ｅを可撓軸として吸収体４の中央部分の隆起するような変形が促進され、排血口部や会陰部、臀部の溝部など身体の窪んだ部分の肌との密着度を高めることができるようになる。
【００３９】
前記エンボス溝Ｅの内、生理用ナプキン１の幅方向中央部に長手方向に沿って形成されるエンボス部分を含む中央領域Ｍにはズレ止め粘着剤層を形成していないため、生理用ナプキン１が下着に接着固定されることによる吸収体の中央領域の隆起する変形が生じ難くなるような事態が防止できるとともに、両側からの脚圧や就寝時の寝相などによってショーツにヨレが生じた場合でも、隆起する中央領域Ｍはヨレの影響を受けずに肌との密着状態が維持できるようになる。一方、この中央領域Ｍの両側にはズレ止め粘着剤層１０、１０を形成してあるため、この両側部分が吸収体の隆起部の基点となって、吸収体の中央領域Ｍの隆起するような変形が促進されるようになる。
【００４０】
また、前記中央領域Ｍの前後の領域に本体ズレ止め粘着剤層１１、１１を形成してあるため、生理用ナプキン１の前後のめくれが防止できるとともに、前後方向からの下着のヨレが中央領域Ｍまで進展するのを防止できる。
【００４１】
前記エンボス溝Ｅについて詳細に説明すると、前記エンボス溝Ｅとは、排血口部Ｈを含む股間部に、吸収体４の非肌当接面側であって生理用ナプキン１の幅方向中央部に長手方向に沿って形成される股間部用エンボス溝２６と、この股間部用エンボス溝２６より離隔した後部側に、吸収体４の非肌当接面側であって生理用ナプキン１の幅方向中央部に長手方向に沿って断続的に形成される臀部用エンボス溝２０、２０と、吸収体４の非肌当接面側に、排血口部Ｈより後方の幅方向中央部の交点Ｃから斜め前方の両側に向けて形成された左右一対の前方溝２４、２４と前記交点Ｃから生理用ナプキン１の長手方向に沿う後方に向けて形成された後方溝２５とから成るＹ字状の会陰部用エンボス溝２３とを含むものである。
【００４２】
前記股間部用エンボス溝２６は、股間部において吸収体の隆起するような変形を生じさせ表面を排血口部に密着させるために形成されるものである。前記股間部用エンボス溝２６により、該股間部用エンボス溝２６を可撓軸として吸収体４の幅方向中央部が長手方向に沿って表面側に隆起しやすくなり、生理用ナプキン１の表面を装着者の排血口部により確実に密着させることができる。
【００４３】
前記臀部用エンボス溝２０は、臀部において吸収体の隆起するような変形を生じさせ表面を臀部の谷間及び臀部の前後方向の丸みに沿って密着させるために形成されるものである。前記臀部用エンボス溝２０は、凹状溝を連続的に形成してもよいが、比較的短い直線状の凹状エンボスと、エンボス無加工部分とが交互に列を成すような断続的なエンボス溝２０、２０を形成する方が臀部の前後方向の丸みに沿うことができるので好ましい。なお、前記臀部用エンボス溝２０は、図示例では前後に２箇所形成されているが、３箇所以上形成することもできる。
【００４４】
前記股間部用エンボス溝２６及び臀部用エンボス溝２０を含む中央領域Ｍにはズレ止め粘着剤層が形成されていない。
【００４５】
また、少なくとも前記臀部用エンボス溝２０、２０間、即ち前記臀部用エンボス溝２０の無加工部分に吸収体４を欠損させた吸収体欠損部２２を形成することが好ましい。図示例では、臀部用エンボス溝２０、２０間に加えて、後段で詳述する会陰部用エンボス溝２３と臀部用エンボス溝２０との間にも設けられている。上述のように臀部用エンボス溝２０、２０の形成列を可撓軸として幅方向中央部を隆起させた上で、この隆起部分を臀部の前後方向の丸みに沿って湾曲させた場合において、前記吸収体欠損部２２で吸収体４の圧縮方向や引張方向の変形が吸収され、肌当接面側に幅方向のシワ入りが生じ難くなり、臀部の細い谷間の奥にまで良好に密着できるようになる。
【００４６】
このように吸収体４の非肌当接面側に臀部用エンボス溝２０及び吸収体欠損部２２を形成することにより、中央領域Ｍの後方部がナプキン長手方向に沿って隆起しやすくなり、且つこの隆起部分が臀部の前後方向の丸みに沿って湾曲しやすくなるため、臀部の谷間への密着性が向上し、体液の後漏れが防止できる。
【００４７】
次に、前記会陰部用エンボス溝２３は、生理用ナプキン１の表面を排血口部より後方の会陰部から臀部の谷間にかけての身体の形状にフィットさせるために形成されるものである。この会陰部用エンボス溝２３を形成することにより、この会陰部用エンボス溝２３が他の部分よりも薄肉化され、剛性（断面二次モーメント）が低下するため、両側からの脚の圧力が作用したときに、この会陰部用エンボス溝２３を可撓軸として前記交点Ｃを頂点とする三角錐状の隆起部が形成される。この三角錐状の隆起部のうち、前記前方溝２４、２４による斜め前方の両側に延びるラインは、図６に示されるように、排血口部Ｈの後方部分から臀部の谷間の始まり部分にかけての会陰部に形成される臀部の谷間の始まり部分を基点として前方の両側に向けて延びる身体のラインＬａ、Ｌａにフィットする。また、三角錐状の隆起部のうち、後方溝２５による後方に延びるラインは、臀部の谷間の始まり部分から後方の臀部の谷間のラインＬｂにフィットする。このため、会陰部用エンボス溝２３によって形成された三角錐状の隆起部が排血口部Ｈより後方の会陰部から臀部の谷間にかけての身体の形状に極めて良好にフィットし、体液の後方への伝い漏れが防止できるようになる。
【００４８】
前記後方溝２５を含む中央領域Ｍには前記ズレ止め粘着剤層が形成されず、その両側に前記ナプキン１の長手方向に沿ってズレ止め粘着剤層１０，１０が形成されている。なお、前記会陰部用エンボス溝２３の前方溝の先端部は、前記ズレ止め粘着剤層１０，１０と重なる領域に形成されていることが望ましい。
【００４９】
上記エンボス溝Ｅ（股間部用エンボス溝２６、臀部用エンボス溝２０、会陰部用エンボス溝２３）の構造についてさらに詳しく説明すると、図１などに示されるように、生理用ナプキン１の中央部にナプキン長手方向に延びるとともに、肌当接面側に隆起する吸収体中高部６を形成した場合、前記股間部用エンボス溝２６及び臀部用エンボス溝２０は、前記吸収体中高部６に対応する吸収体４の非肌当接面側に形成され、前記会陰部用エンボス溝２３は、前記吸収体中高部６及びその近傍に対応する吸収体４の非肌当接面側に形成されている。
【００５０】
前記エンボス溝Ｅ（股間部用エンボス溝２６、臀部用エンボス溝２０及び会陰部用エンボス溝２３）の深さは、吸収体４の厚みに対して３０〜９５％、好ましくは５０〜９０％の深さで形成するのが望ましい。エンボス溝Ｅの深さが３０％未満の場合は、横断方向の変形性能はもとより長手方向の変形性能を確保することができない。前記エンボス溝Ｅの深さが９５％を超える場合には、エンボス溝Ｅの剛性が高くなりすぎ、身体の前後方向の丸みに沿った湾曲が生じにくくなる。
【００５１】
前記臀部用エンボス溝２０の１本当たりの長さは、５mm〜３０mmが好ましく、１０mm〜２０mmがより好ましい。臀部用エンボス溝２０の長さは一定でなくてもよく、図示例では、前側より後側の臀部用エンボス溝２０を長く形成してある。
【００５２】
前記吸収体欠損部２２は、生理用ナプキン１の幅方向に１０mm〜２０mm、長手方向に５mm〜１５mmの範囲内に形成されるもので、図７に示されるように、(A)方形状、(B)菱形形状、(C)、(D)くさび形状の他、三角形状などのいずれかの形状で吸収体を欠損させたものである。また、その断面形状は、吸収体の厚み方向に同一形状としても良いが、図８に示されるように、吸収体４の厚み方向に形状を変化させた立体的形状としても良い。
【００５３】
前記会陰部用エンボス溝２３の前方溝２４、２４同士の成す角度αは、成人女性の会陰部に形成される身体のラインＬａ、Ｌａの角度がほぼ７０°以上の割合が高いため、この身体のラインに適合させるため、７０°以上、１８０°未満とすることが好ましく、９０°以上１５０°未満がより好ましい。７０°以上とすることにより、両側からの脚圧がかかったときに、会陰部用エンボス溝２３を可撓軸とする吸収体の隆起効果が向上する。
【００５４】
前記会陰部用エンボス溝２３の交点Ｃは、膣口から後方側の肛門付近にかけての会陰部へのフィット性を向上させるため、少なくとも生理用ナプキン１の幅方向中央部で、且つ排血口部Ｈの中心から生理用ナプキン１の後方に４０mm〜６０mmの間に設定される。
【００５５】
前記前方溝２４及び後方溝２５は、前記交点Ｃからそれぞれ２０mm〜４０mmの長さで形成され、前方溝２４と後方溝２５の長さは同等であることが好ましいが、異なる長さで形成することもできる。
【００５６】
なお、前記エンボス溝Ｅは、吸収体４単独、又は被包シート５で囲繞された吸収体４の段階で付与するのが望ましい。
【００５７】
一方、図１に示されるように、生理用ナプキン１の肌当接面側から、少なくとも前記エンボス溝Ｅの両側に生理用ナプキン１の略長手方向に沿って左右一対のフィットエンボスＦが形成されている。前記「フィットエンボス」とは、表面材と吸収体４とを一体化するエンボス溝のことであり、透液性表面シート３の表面側から吸収体４の所定深さまで付与されるエンボス溝のことである。かかるフィットエンボスＦは、前記本体ズレ止め粘着剤層１０と重なる領域に形成されている。即ち、本体ズレ止め粘着剤層１０によって下着に接着固定された領域にフィットエンボスＦを形成することにより、このフィットエンボスＦを基点として、吸収体の中央領域が肌当接面側に隆起するような変形を生じやすくしている。
【００５８】
前記フィットエンボスＦとしては、装着者の股間部に対応する領域に生理用ナプキン１の略長手方向に沿って左右一対で形成される股間部エンボス３０、３０、装着者の臀部に対応する領域に左右一対で形成される後方部エンボス３１、３１、並びに前記前記股間部エンボス３０と後方部エンボス３１との中間領域に、前記エンボス３０、３１と間を開けて左右一対で形成される中間部エンボス３２が含まれる。
【００５９】
また、前記股間部エンボス３０の前側（図示例のように吸収体中高部６が設けられる場合には、この吸収体中高部６の前端より前側）であって前記中央領域Ｍより前側には、生理用ナプキン１の幅方向中央部に略傘形状の前端傘状エンボス３３が形成されるとともに、さらにその前側の領域を囲むように前端デザインエンボス３４が形成されている。一方、前記後方部エンボス３１の後側（図示例のように吸収体中高部６が設けられる場合には、この吸収体中高部６の後端より後側）であって前記中央領域Ｍより後側には、生理用ナプキン１の幅方向中央部に略傘形状の後端傘状エンボス３５が形成されるとともに、その更に後側に間を開けて後端デザインエンボス３６が形成されている。
【００６０】
図１及び図２に示される例では、前記本体ズレ止め粘着剤層１０は、ほぼ前端デザインエンボス３４の前端部から後端デザインエンボス３６の後端部にかけて連続的に設けるようにすることが好ましい。また、前側の本体ズレ止め粘着剤層１１は、前端デザインエンボス３４の前端部から前端傘状エンボス３３の後端部（吸収体中高部６の前端部）にかけて設けられ、後側の本体ズレ止め粘着剤層１１は、後端デザインエンボス３６の後端部から後端傘状エンボス３５の前端部（吸収体中高部６の後端部）にかけて設けられている。
【００６１】
前記股間部エンボス３０は、排血口部Ｈを含み、後端が臀部の谷間の始まり部分にかかる範囲に、生理用ナプキン１の略長手方向に沿って左右一対で形成されている。その前端部は、若干両側に拡大するように屈曲した形状とされ、その傾斜角は前記前端デザインエンボス３４の後端部とほぼ平行する角度で形成されている。
【００６２】
また、前記股間部エンボス３０の後端部は、前記会陰部用エンボス溝２３と幅方向に重なり代を有する範囲において、幅方向中央部に傾斜した形状とされ、その傾斜角は、前記会陰部用エンボス溝２３との関係で所定の傾斜角とされている。具体的には、股間部エンボス３０の傾斜した後端部を延長した仮想線Ｓ１と、前記会陰部用エンボス溝２３の前方溝２４の前端と後方溝２５の後端とを結ぶ仮想線Ｓ２とがほぼ平行するように形成されている。「ほぼ平行する」とは、仮想線Ｓ１、Ｓ２のナプキン長手方向線に対する傾斜角が完全に一致する場合の他、この傾斜角が±５°の角度差の範囲内で形成されている場合も含む。
【００６３】
前記股間部エンボス３０の後端部を上記傾斜角とすることにより、この股間部エンボス３０の後端部によって、両側からの脚圧の作用方向を前方溝２４の前端と後方溝２５の後端とを結ぶ仮想線Ｓ２と直交する方向に変換することができ、両側からの脚圧によって会陰部用エンボス溝２３の前方溝２４と後方溝２５とで囲まれた領域を隆起させやすくすることができる。
【００６４】
前記後方部エンボス３１は、臀部の谷間に対応する範囲に、生理用ナプキン１の略長手方向に沿って左右一対で形成され、後方部の吸収体の幅方向中央部を臀部の谷間に沿ってきっちりと隆起させるためのものである。後方部エンボス３１は、略前側半分が外側に膨出する曲線によって形成され、残りの後側が内側に膨出する曲線によって形成されている。さらにその後端部は外側に向かって半円弧状に屈曲した形状で形成されている。
【００６５】
また、前記後方部エンボス３１には、前記吸収体欠損部２２に対応する位置に、後方部エンボス３１からナプキン幅方向中央側へ延びるフィットエンボス３１ａ、３１ａ…が形成されている。これにより、フィットエンボス３１ａが基点となって確実に吸収体欠損部２２の形成位置で臀部の前後方向の丸みに沿って湾曲させることができるようになる。
【００６６】
前記中間エンボス３２は、前記仮想線Ｓ２と直交する方向に対し、前記股間部エンボス３０の後端部と前端の一部が重なり代を有するように形成されている。これにより、前記仮想線Ｓ２と直交する方向に重なり代を有する股間部エンボス３０と中間エンボス３２との二重エンボス部分の吸収体４の剛性（コシ）が増すため、両側からの脚圧を会陰部用エンボス溝２３の前方溝２４と後方溝２５とで囲まれた領域を隆起させる力に変換しやすくなる。
【００６７】
〔他の形態例〕
(1)図９に示されるように、本体ズレ止め粘着剤層１０、１０は、股間部の離隔幅が後方部の離隔幅より大きくなるように形成してもよい。股間部の離隔幅は、吸収体中高部６の股間部の幅以上とすることが好ましい。吸収体中高部６の厚みが厚い場合、吸収体の隆起するような変形が生じ難くなるので、このような場合に有効である。このとき、会陰部用エンボス溝２３の前方溝２４、２４の先端部は、離隔幅を大きくした股間部の本体ズレ止め粘着剤層１０、１０と重なるようにし、安定して吸収体の会陰部を三角錐状に隆起させるようにする。
(2)また、図１０に示されるように、本体ズレ止め粘着剤層１０、１０は、一部が透液性表面シート３と不透液性裏面シート２との間に吸収体４が介在された本体部分より外側に延在して形成されるようにしても良い。これにより、本体ズレ止め粘着剤層の下着への固定力を高めることができるようになる。ただし、ウイング状フラップＷ、Ｗの折返し線ＲＬ、ＲＬを越えない範囲で形成することが好ましい。この折返し線ＲＬを越えて本体ズレ止め粘着剤層１０が形成されると、生理用ナプキン１の装着時にウイングズレ止め粘着剤層８と本体ズレ止め粘着剤層１０とが接着しやすくなり、装着しにくくなる。また、本体部分を外側に越える長手方向範囲としては、前側の本体ズレ止め粘着剤層１１の後端部から会陰部用エンボス溝２３の後端部までであることが好ましい。この範囲を本体部分より外側に延在させることにより、排血口部から会陰部の下着との固定強度が高まり、この範囲の中央領域をしっかりと肌当接面側に隆起させることができ、肌との密着度を高めることができるようになる。
【符号の説明】
【００６８】
１…生理用ナプキン、２…不透液性裏面シート、３…透液性表面シート、４…吸収体、５…被包シート、６…吸収体中高部、７…サイド不織布、１０・１１…本体ズレ止め粘着剤層、２０…臀部用エンボス溝、２２…吸収体欠損部、２３…会陰部用エンボス溝、２４…前方溝、２５…後方溝、２６…股間部用エンボス溝、３０…股間部エンボス、３１…後方部エンボス、３２…中間エンボス、Ｃ…交点、Ｅ…エンボス溝、Ｆ…フィットエンボス
【図１】
0005681446.tif 000002
【図２】
0005681446.tif 000003
【図３】
0005681446.tif 000004
【図４】
0005681446.tif 000005
【図５】
0005681446.tif 000006
【図６】
0005681446.tif 000007
【図７】
0005681446.tif 000008
【図８】
0005681446.tif 000009
【図９】
0005681446.tif 000010
【図１０】
0005681446.tif 000011